(57)【特許請求の範囲】
【請求項１】
データセンターで用いられることが多く、特に耐震構造に優れた、４本の柱に天板と底板を取り付けた本体を仕切り板により複数段に分割して使用するハウジングラックの構造において、前記柱の任意の位置に断面略コ字状の支持金具をねじ止めし、仕切り板を前記支持金具の折曲部に差し込み、前記本体を複数段に分割し、前記支持金具に、それぞれ段毎にマウントアングルまたはマウントレールを取り付けることを特徴とするハウジングラックの構造。
【発明の詳細な説明】
【０００１】
【発明の属する技術分野】
データセンターで用いられることが多く、特に耐震構造に優れた、４本の柱に天板と底板を取り付けた本体を仕切り板により複数段に分割して使用するハウジングラックの構造に関する。
【０００２】
【従来の技術】
従来技術における機器収納用ラックは、図９〜図１０に示すように、４本の柱３１に天板３２と底板３３とを組み付けた本体３４の内部には、機器を取り付けるためのマウントアングル３５またはマウントレール３６を取り付けていた。マウントアングル３５またはマウントレール３６は、天板３２から底板３３まで貫通しており、本体３４を複数段に分割する場合は、マウントアングル３５またはマウントレール３６にＬ型レール３７をわたし、Ｌ型レール３７に仕切り板３８をねじ止めしていた。
【０００３】
【発明が解決しようとする課題】
しかしながら、上記従来の技術によれば、マウントアングル３５またはマウントレール３６の取り付け位置は、一つのラックの中では固定され段によって変更ができないので、収納する機器の大きさが制限されてしまうことがあった。また、仕切り板３８は、Ｌ型レール３７にねじ止めされているだけなので、容易に取り外しができ、特に段毎に使用者が異なる場合、セキュリティの点で不安があった。
【０００４】
【課題を解決するための手段】
そこで本発明は、簡単な構造で、段毎にマウントアングルまたはマウントレールの取り付け位置を変更でき、さらにセキュリティもしっかりしたハウジングラックの構造を提供することを目的とし、その構造は、柱の任意の位置に断面略コ字状の支持金具をねじ止めし、仕切り板を支持金具の折曲部に差し込み、本体を複数段に分割し、支持金具にそれぞれ段毎にマウントアングルまたはマウントレールを取り付けることを特徴とする。
【０００５】
【発明の実施の形態】
本発明に係るハウジングラックの構造は、４本の柱に天板と底板を取り付けた本体を仕切り板によって複数段に分割し、それぞれ段に機器を収納する。仕切り板を取り付けるために、本体に支持金具をねじ止めする。支持金具は断面略コ字状に折曲形成されており、仕切り板は折曲部に差し込んでねじ止めし、その後、段毎に収納する機器の大きさに合わせてマウントアングルまたはマウントレールを支持金具に取り付ける。仕切り板は、支持金具の折曲部に差し込まれるので、本体の間口より大きなものが取り付けられる。その
ため、仕切り板を外すときには、まずマウントアングルとマウントレールを取ってから、仕切り板を外さなくてはならず、手間がかかるような構造にする。
【０００６】
【実施例】
本発明に係るハウジングラックの構造を図１〜図６の添付図面に基づいて説明する。
【０００７】
ハウジングラックは、データセンターで用いられることが多く、特に耐震構造に優れたラックである。仕切り板で複数段に分割し、異なる使用者が段毎にそれぞれ通信機器等を収納し、使用することもある。
【０００８】
ハウジングラックの構造は、４本の柱１に天板２と底板３を取り付けて本体４を構成し、本体４は仕切り板５で複数段に分割する。上端には上部支持金具６を下端には下部支持金具７を、またその他に任意の位置に支持金具８をねじ止めする。柱１の内側にスリット９とタップ穴１０とを設け、支持金具８をスリット９に引っ掛け、柱１内側からタップ穴１０にねじ１１を挿通し締め付け固定する。支持金具８は断面略コ字状に折曲形成されており、ねじ止めは折曲部１２の中で行う。
【０００９】
仕切り板５は端部を折曲し、取り付け用穴１３を設ける。支持金具８の折曲部１２に差し込むように入れ、上側からねじ１４を挿通し、締め付け固定する。仕切り板５は、本体４の間口より大きなものが用いられる。
【００１０】
マウントアングル１５を本体４の内部、前面開口側に、また背面側にはマウントレール１６を段毎に取り付ける。段の高さに対向する長さのマウントアングル１５とマウントレール１６を支持金具にねじ止めする。マウントアングル１５とマウントレール１６は、段毎に取り付けられるので、収納する機器の大きさに合わせてそれぞれ移動可能である。
【００１１】
仕切り板５をねじ止めしてからマウントアングル１５やマウントレール１６を取り付けるので、仕切り板５を取り外すときには、マウントアングル１５やマウントレール１６を外さなくてはならない。また、仕切り板５は本体４の間口より大きくして、取り外すという作業は大変面倒で、手間のかかるものにし、容易には取り外せないような構造とする。
【００１２】
本発明に係る別のハウジングラックの構造を図７〜図８の添付図面に基づいて説明する。
【００１３】
ハウジングラックの構造は、４本の柱１７（一部のみ図示）に天板と底板を取り付けて本体１８を構成し、本体１８は仕切り板１９で複数段に分割する。本体の上端と下端とには取り付け穴２０を設け、任意の位置に支持金具２１を柱１７にわたすようにねじ止めする。柱１７の側面にタップ穴２２とを設け、支持金具２１を柱１７の内側からタップ穴２２にねじ２３を挿通し締め付け固定する。支持金具２１は箱状に折曲形成されており、ねじ止めは支持金具２１の内側から、外側に向かって柱１７の側面に行う。
【００１４】
仕切り板１９は端部を折曲し、板部２４と折曲部２５との突き合わせ部に取り付け用穴２６を設ける。支持金具２１にねじ２７を少し締め込み、取り付け用穴２６をねじ２７に対向させて仕切り板１９を置き、ねじ２７を締め付け仕切り板１９を支持金具２１に固定する。
【００１５】
以下の組み立て方法は、請求項１に記載のハウジングラックの構造と同様で、マウントアングルまたはマウントレールは、段毎に取り付ける。段の高さに対向する長さのマウントアングルを本体１８の前面に支持金具にねじ止めし、取り付ける。また、マウントレールは、取り付けられる機器に合わせて本体内側に支持金具にねじ止めして取り付ける。
【００１６】
仕切り板１９をねじ止めしてからマウントアングルやマウントレールを取り付けるので、仕切り板１９を取り外すときには、マウントアングルやマウントレールを外さなくてはならない。また、仕切り板１９を固定しているねじ２７は外しにくい構造とし、取り外すという作業は大変面倒で、手間のかかるものにし、容易には取り外せないようにする。
【００１７】
【発明の効果】
以上のように本発明に係るハウジングラックの構造は、柱の任意の位置に断面略コ字状の支持金具をねじ止めし、仕切り板を支持金具の折曲部に差し込み、本体を複数段に分割し、支持金具にそれぞれ段毎にマウントアングルまたはマウントレールを取り付けるため、マウントアングルやマウントレールが各段毎に取り付けられ、それぞれの段の使用者の任意で位置を決めることができる。そのため、収納する機器の寸法が制限されることがない。また、仕切り板が取り外しにくい構造になっているため、段によって使用者が異なる場合、別の段の機器に触れることがしにくくなる。
【図面の簡単な説明】
【図１】本発明に係るハウジングラックの構造を示す斜視図である。
【図２】本発明に係るハウジングラックの構造を示す分解斜視図である。
【図３】本発明に係るハウジングラックの仕切り板部分の断面図である。
【図４】本発明に係るハウジングラックの構造を示す分解斜視図である。
【図５】本発明に係るハウジングラックの構造を示す分解斜視図である。
【図６】本発明に係るハウジングラックの構造を示す斜視図である。
【図７】本発明に係る別のハウジングラックの構造を示す分解斜視図である。
【図８】図７における支持金具の拡大図である。
【図９】従来技術におけるハウジングラックの構造を示す斜視図である。
【図１０】図９における一部拡大図である。
【符号の説明】
１    柱
２    天板
３    底板
４    本体
５    仕切り板
６    上部支持金具
７    下部支持金具
８    支持金具
９    スリット
１０    タップ穴
１１    ねじ
１２    折曲部
１３    取り付け用穴
１４    ねじ
１５    マウントアングル
１６    マウントレール
１７    柱
１８    本体
１９    仕切り板
２０    取り付け穴
２１    支持金具
２２    タップ穴
２３    ねじ
２４    板部
２５    折曲部
２６    取り付け用穴
２７    ねじ
【図１】
0004641642.tif 000002
【図２】
0004641642.tif 000003
【図３】
0004641642.tif 000004
【図４】
0004641642.tif 000005
【図５】
0004641642.tif 000006
【図６】
0004641642.tif 000007
【図７】
0004641642.tif 000008
【図８】
0004641642.tif 000009
【図９】
0004641642.tif 000010
【図１０】
0004641642.tif 000011